(57)【要約】      （修正有）【課題】両面印刷されたカードをその表面と裏面が見える状態で、顧客の目に付き易い箇所に挿入できるようにし、カード挿入後の保持を良好にさせる、両面印刷カード取付け型ハンガーを提供する。【解決手段】ハンガーのフック部２下方に位置する本体部３の内側に、両面印刷されたカード２０を両面が見える状態で挿入・保持し得る開口部を設け、開口部内側の縁部に、カード２０の縁部辺りを表面側からと裏面側から支持するカード表面支持部８とカード裏面支持部とを、互いに対向し合わないように立設させた。【選択図】図４
0003177373.tif 000002
【実用新案登録請求の範囲】
【請求項１】
衣料品等の商品を店頭陳列するために用いられるハンガーのフック部下方に位置する本体部の内側に、両面印刷されたカードをその表面と裏面が見える状態で挿入・保持し得る開口部を設け、
開口部を形成している内枠構造の縁部に、カードの縁部辺りを表面側からと裏面側から支持するカード表面支持部とカード裏面支持部とを、互いに対向し合わない位置に立設させて構成した、両面印刷カード取付け型ハンガー。
【請求項２】
前記カード表面支持部と前記カード裏面支持部のいずれか一方は、前記開口部の後縁部又は前縁部に沿い且つ複数箇所が切り欠かれた長板形状を有している、請求項１に記載の両面印刷カード取付け型ハンガー
【請求項３】
前記開口部は前記カードの形状に合わせた横長の長方形状であり、前記カード表面支持部と前記カード裏面支持部は、いずれも前記カードを上下左右の四方から支持する箇所に位置している、請求項１又は２に記載の両面印刷カード取付け型ハンガー。
【考案の詳細な説明】
【技術分野】
【０００１】  本考案は、両面印刷されたカードをその表面と裏面の双方が可視できる状態で挿入保持させ得る、両面印刷カード取付け型ハンガーに関する。
【背景技術】
【０００２】  下着、Ｔシャツ等に例示される衣料品は、店頭においてハンガーに掛け吊るした状態で販売用として陳列される場合が少なくない。ハンガーを用いてこれらの衣料品を掛け吊るすと、多くの場合、ハンガーのフック部下方箇所は、衣料品で隠れることなく顧客の目に付き易い状態にある。
この点に着目した衣料品メーカー等は、ハンガーのフック部下方箇所に、商品イメージの向上させたり、消費者の関心を惹いたり、商品の説明をすることなどを目的とした、文字、絵柄等の印刷がされたカード等を支持させる工夫をしてきた。【０００３】  例えば、ハンガーの中央部に被せる２つ折り構造の立体カード（特許文献１）、フック部下方に位置するカード取付部の表面側と裏面側に識別カードを横方向から挿し込んで保持させる構造（特許文献２）、フック下方の支持片にカードを上方から挿入してカードの両面が見られる収納部を設けた構造（特許文献３）などがそうである。
【特許文献】
【０００４】
【特許文献１】実登第３１５８５７０号公報の図６、図７
【特許文献２】実登第３００２０９８号公報の図１〜図３
【特許文献３】実開平６−１７５６９号公報の図１〜図３
【０００５】
【考案の概要】
【考案が解決しようとする課題】
【０００６】  しかしながら、特許文献１に開示の片面印刷の２つ折り構造の立体カードは、製造コストが高くつき、ハンガーに掛け吊るした衣類を試着するためにハンガーを衣類から取り外すときに、破損、脱落が生じ易い。【０００７】  特許文献２に開示のハンガーの表面側と裏面側のそれぞれに識別カードを保持させる構造は、識別カードのコストが高くなり、識別カードの取り付けに要する手間とコストも余分に掛かる。【０００８】  特許文献３に開示の収納部を持つハンガーは、カードの収納溝と開口部の成形が困難であり、成形が可能であっても金型コスト及び製品製造コストが高くつく。【０００９】  本考案は、両面印刷されたカードをその表面と裏面が見える状態で、フック部下方箇所の顧客が目に付き易い箇所に挿入できるようにし、カード挿入後の保持も良好な、両面印刷カード取付け型ハンガーにすることを、主要な解決課題とする。
そして、更に、カードの着脱が簡単かつ短時間で行え、カードのコスト及びカードを取り付けるのに必要なコストを抑えることも解決課題とする。
【課題を解決するための手段】
【００１０】  本考案の請求項１に係る両面印刷カード取付け型ハンガーは、
衣料品等の商品を店頭陳列するために用いられるハンガーのフック部下方に位置する本体部の内側に、両面印刷されたカードをその表面と裏面が見える状態で挿入・保持し得る開口部を設け、
開口部を形成している内枠構造の縁部に、カードの縁部辺りを表面側からと裏面側から支持するカード表面支持部とカード裏面支持部とを、互いに対向し合わない位置に立設させて構成した。【００１１】  本考案の両面印刷カード取付け型ハンガーを用いた、両面印刷された前記カードの挿入は、カードの一端部（先端部）を、カード表面支持部又はカード裏面支持部が位置していない箇所から、カード表面支持部とカード裏面支持部との間に挿し込む方法で行う。
このようにしてカードを前記開口部内に保持させると、カードはその両面側からカード表面支持部とカード裏面支持部とにより支持されて、開口部から脱落しなくなる。
金型を用いた量産成形に適合させるため、前記カード表面支持部及び前記カード裏面支持部は、互いに対向し合わないようにそれぞれの複数箇所において切り欠かれた、或いは途切れた構造となっている。【００１２】  請求項２に係る両面印刷カード取付け型ハンガーは、上記構成の上、更に、前記カード表面支持部と前記カード裏面支持部のいずれか一方は、前記開口部の後縁部又は前縁部に沿い且つ複数箇所が切り欠かれた長板形状を有している。【００１３】  このように、カード表面支持部とカード裏面支持部のいずれか一方が長板形状であると、この長板に沿わせたカードの挿入が行える。【００１４】  請求項３に係る両面印刷カード取付け型ハンガーは、上記いずれかの構成の上、更に、前記開口部は前記カードの形状に合わせた横長の長方形状であり、前記カード表面支持部と前記カード裏面支持部は、いずれも前記カードを上下左右の四方から支持する箇所に位置している。【００１５】  最も汎用性があるとされる横長の長方形状のカードが不用意に保持位置から抜け出たり、脱落したりするのを防止することを一層明確にするため、請求項３ではカードの両面を上下左右の四方から支持させるようにした。
【考案の効果】
【００１６】  請求項１の考案に係る両面印刷カード取付け型ハンガーによれば、
両面印刷されたカードをその表面と裏面が見える状態で、フック部下方箇所の顧客が目に付き易い箇所に見栄え良く保持できる利点がある。
また、カードの周囲が前記開口部の内壁に略接し、カードをその両面側からカード表面支持部とカード裏面支持部とにより支持させる構造であるため、カードを確実に、しかも姿勢を安定させて保持できる利点がある。
また、カード表面支持部とカード裏面支持部とが、互いに対向し合わないようにそれぞれの複数箇所において切り欠かれた構造であるため、製品量産に適した金型設計ができる。
また、両面印刷されたカードの使用が可能であるため、利用価値の高いカードを低コストで調達できる。
また、商品に合わせたカードの交換も容易に行える。【００１７】  請求項２の考案に係る両面印刷カード取付け型ハンガーによれば、
カード表面支持部とカード裏面支持部のいずれか一方が長板形状であるため、カードの挿入をこの長板に沿わせて円滑に行うことができ、カードの保持姿勢を長板に沿わせて安定させることができ、保持したカードの張りの減退を防止させる利点がある。【００１８】  請求項３の考案に係る両面印刷カード取付け型ハンガーによれば、最も汎用性があるとされる横長の長方形状を有するカードの両面を、上下左右の四方から支持させた保持が行えるため、カードが保持位置から不用意に抜け出たり、脱落したりするのを防止できる。
【考案を実施するための形態】
【００１９】  本考案は以下の実施例の記載により一層明確に理解されるであろう。
【図面の簡単な説明】
【００２０】
【図１】本考案第１実施形態に係る両面印刷カード取付け自在型ハンガーの正面側図。
【図２】同じく背面図。
【図３】同じくカード挿入途上の状態を示した要部斜視図、
【図４】同じく使用状態を示した要部拡大正面図。
【図５】同じく使用状態を示した要部拡大背面図。
【図６】同じく店頭陳列による使用状態を示した斜視図。
【図７】カードを保持した本考案第２実施形態に係る両面印刷カード取付け自在型ハンガーの正面図。
【図８】同じく背面図。
【図９】（ａ）はカード挿入途中状態の斜視図、（ｂ）はカード挿入終了直前の斜視図、（ｃ）はカード挿入後の斜視図。
【図１０】カードを保持した本考案第３実施形態に係る両面印刷カード取付け自在型ハンガーの正面方向から見た斜視図。
【図１１】同じく背面方向から見た斜視図。
【図１２】本考案第３実施形態に係る両面印刷カード取付け自在型ハンガーの正面方向から見た斜視図。
【図１３】同じく一部に断面部分を含む部分拡大斜視図。
【図１４】同じく店頭陳列による使用状態を示した斜視図。
【図１５】本考案第４実施形態に係る両面印刷カード取付け自在型ハンガーの正面図
【図１６】同じく背面図。
【図１７】本考案第５実施形態に係る両面印刷カード取付け自在型ハンガーの正面図。
【図１８】（ａ）は同じくその一部を拡大して示した正面図、（ｂ）は同じくその一部を拡大して示した背面図。
【図１９】本考案第６実施形態に係る両面印刷カード取付け自在型ハンガーの正面図。
【図２０】（ａ）はその一部の拡大正面図、（ｂ）は同じく拡大背面図。
【図２１】（ａ）は同じくカードを保持させた状態の拡大正面図、（ｂ）はカードを保持させた状態の拡大背面図。
【実施例】
【００２１】〔第１実施形態のハンガー〕
図１及び図２に示す本考案第１実施形態に係る両面印刷カード取付け自在型ハンガー（以下、第１実施形態のハンガーと略称する。）１Ａは、フック部２の下方に本体部３が一体形成され、本体部３の左右に下着、Ｔシャツ等の衣料品を掛止させる部分になる肩部１０Ｌ，１０Ｒが横方向に大きく突出させた形状を有する。【００２２】  本考案の要部は、本体部３の内側に大きな開口部４が形成され、この開口部４内に、両面印刷されたカードが表面と裏面が見える状態で挿入・保持可能な機能を持つ構造としたところにある。後述する各実施形態についてもこの機能を持つ構造としてある。【００２３】  第１実施形態のハンガー１Ａの場合、本体部３は六角台枠形状であり、カードの保持有効領域を広くするため、開口部４も六角台枠形状である。即ち、第１実施形態のハンガー１Ａは、開口部４の大きさに合わせた六角台形状のカードを保持させる。
図１乃至図３に示すように、開口部４を形成している内枠形状の縁部５には、カード２０を裏面側から支持する長板形状のカード裏面支持部６，６・・と、カード２０を表面側から支持する短尺板片形状のカード表面支持部８，８・・とが、夫々が立設している。そして、カード裏面支持部６，６・・とカード表面支持部８，８・・との間には、カード２０を挿入・保持させる前後間隔が設けられている。成型加工上の点から、カード表面支持部８，８・・に対向するカード裏面支持部６，６・・は、切欠き部７，７・・を形成することにより、切り欠かれている。
カード表面支持部８，８・・は、縁部５の下辺中央箇所と、縁部５の左右の下部側斜辺に各１箇所形成されている。
カード裏面支持部６，６・・の後面は、本体部３の裏面と面を揃えてあり、このため、本体部３を背面側から見ると、カード裏面支持部６，６・・は本体部３と一体となって見える。
カード表面支持部８，８・・の前面も、本体部３の表面と面を揃えてある。
即ち、カード表面支持部８の肉厚と、カード裏面支持部６の肉厚と、カード２０の挿入路の前後幅とを略合計したものが本体部３の肉厚に相当する。【００２４】  カード２０の挿入は、図３に示すように、開口部４の前方上方から下方に挿し入れて、カード裏面支持部６，６・・に沿わせながら、カード２０をカード裏面支持部６，６・・とカード表面支持部８，８・・の間に位置させる方法で行なわれる。このようにすると、開口部４内に配置させたカード２０は、縁部５で囲まれ、カード裏面支持部６，６・・とカード表面支持部８，８・・とによって前後方向の移動が阻止されているため、不用意に脱落することはない。【００２５】  このようにしてカード２０を挿入・保持させた第１実施形態のハンガー１Ａを図６に示すように衣料品店の店頭で利用すると、図４の正面図及び図５の背面図に示すように、Ｔシャツ６０を掛け吊るしたときに、カード２０の表面と裏面のいずれも、顧客が目に付き易いＴシャツ６０の首元辺りに位置する。
本体部３と開口部４とカード２０の各形状を大きな六角台形状としたのは、上述したように、顧客が目に付き易いＴシャツ６０の首元の形状に合わせたことによる。【００２６】〔第２実施形態のハンガー〕
図７及び図８に示す第２実施形態のハンガー１Ｂは、本体部３の形状が横方向に長い楕円形状のものである。尚、図７と図８ではカード２０保持させた状態で描かれている。
この第２実施形態のハンガー１Ｂの場合も、前述した第１実施形態の本体部３と同様に、本体部の形状に合わせた楕円形状の開口部４と、縁部５と、カード裏面支持部６，６・・と、カード表面支持部８，８・・と、切欠き部７，７・・とが、形成されている。第２実施形態のハンガー１Ｂの場合には。カード表面支持部８，８・・は、縁部５の上辺の左右箇所と、縁部５の下辺の左右箇所と、縁部５の左右の曲縁箇所に、夫々形成されている。【００２７】  この第２実施形態のハンガー１Ｂの場合、カード２０挿入は、図９に示す方法で行われる。即ち、図９（ａ）に示すように、カード２０をカード裏面支持部６，６・・に沿わせるようにして開口部４内に横方向から挿し入れ、図９（ｂ）に示すように、カード２０の先端部が先端側のカード表面支持部８ａの内側に突入した状態になったときに、一旦、指先の操作でカード２０の途中面を撓ませて、この途中面を開口部４の外側に大きく突出させる。このようにすると、カード２０の後端部が後端側のカード表面支持部８ｂの内側に滑り込ませ易い状態になり、カード２０の後端部をカード表面支持部８ｂの内側に滑り込ませると、カード２０全体が、縁部５と、カード裏面支持部６，６・・とカード表面支持部８，８・・とによって、開口部４の内側に支持された状態になる。【００２８】〔第３実施形態のハンガー〕
図１０〜図１３に示す第３実施形態のハンガー１Ｃは、フック部２の下方に、横長の長方形状を有する枠形状の本体部３を有する。そして、本体部３の下縁部から下方に向けて、衣料品を係止させる複数本の蛸足形状を有する係止部９，９・・が一体形成されている。
この第３実施形態のハンガー１Ｃの場合、本体部３の内側に長方形の開口部４が形成されており、この開口部４を形成している縁部５の上辺の左右箇所と、下辺の左右箇所と、左右の縦辺の高さ中央箇所に、夫々カード表面支持部８，８・・が形成されている。カード裏面支持部６，６・・は、縁部５に沿う長板形状であり、前述と同様、カード裏面支持部６，６・・のカード表面支持部８，８・・と対向する箇所は、切欠き部７，７・・が設けられて、切り欠かれた形状となっている。
この第３実施形態のハンガー１Ｃは、長方形状の大きなカード２０を挿入・保持させる。カード２０の挿入方法は前述した第２実施形態のハンガーの場合と同じ方法で行われる。
この第３実施形態のハンガー１Ｃは、図１４に示すような方法で下着５０を掛け吊るすことができる。両面印刷されたカード２０を本体部３に保持させた第３実施形態のハンガー１Ｃに下着５０を掛け吊るすと、掛け吊るした状態の下着５０の横幅と同じ広い幅を持つ、顧客が目に付き易い大きなカード表示領域を下着５０の上方に設けることができる。【００２９】〔第４実施形態のハンガー〕
カード表面支持部８，８・・は、方形の板状に限定されず、カード裏面支持部６，６・・についても、直線方向に延びた長板形状に限定されない。
例えば、図１５及び図１６に示す第４実施形態のハンガー１Ｄのように、カード表面支持部８，８・・及びカード裏面支持部６，６・・の全体又は一部が曲線形状であっても構わない。【００３０】〔その他の実施形態のハンガー〕
上述の各実施形態から理解されるように、本考案の両面印刷カード取付け自在型ハンガーは、両面印刷されたカード２０を両面が見える状態でフック部３下方の本体部３に挿入・保持させることが出来る構造であれば足りるのである。
このため、ハンガーの形状、本体部３、開口部４、カード２０などの大きさ及び形状は特に限定されない。
例えば、図１７及び図１８に示す第５実施形態のハンガー１Ｅのように、フック部２の下方に横長の長方形状の本体部３が位置し、本体部３の左右に下着、Ｔシャツ等の衣料品を掛止させる部分になる肩部１０Ｌ，１０Ｒが横方向に大きく突出させた形状とし、この本体部３に前述した各実施形態と同様の機能を持つ、長方形状の開口部４、縁部５、カード裏面支持部６，６・・、カード表面支持部８，８・・、切欠き部７，７・・などを形成した構造としてもよい。【００３１】  また、図１９、図２０、図２１の示す第６実施形態のハンガー１Ｆにように、フック部２の下方に横長楕円形状の本体部３が位置し、本体部３の左右に下着、Ｔシャツ等の衣料品を掛止させる部分になる肩部１０Ｌ，１０Ｒが横方向に大きく突出させた形状とし、この本体部３に前述した各実施形態と同様の機能を持つ、横長楕円形状の開口部４、縁部５、カード裏面支持部６，６・・、カード表面支持部８，８・・、切欠き部７，７・・などを形成した構造としてもよい。【００３２】  また、本考案に係る両面印刷カード取付け自在型ハンガーは、プラスチック製のものだけに限定されず、ステンレス製、アルミニウム製、カーボン製、硬質紙製などを素材とするものも含まれる。
【符号の説明】
【００３３】  １Ａ    第１実施形態のハンガー
１Ｂ    第２実施形態のハンガー
１Ｃ    第３実施形態のハンガー
１Ｄ    第４実施形態のハンガー
１Ｅ    第５実施形態のハンガー
１Ｆ    第６実施形態のハンガー
２    フック部
３    本体部
４    開口部
５    縁部
６    カード裏面支持部
７    切欠き部
８    カード表面支持部
２０    カード
【図１】
0003177373.tif 000003
【図２】
0003177373.tif 000004
【図３】
0003177373.tif 000005
【図４】
0003177373.tif 000006
【図５】
0003177373.tif 000007
【図６】
0003177373.tif 000008
【図７】
0003177373.tif 000009
【図８】
0003177373.tif 000010
【図９】
0003177373.tif 000011
【図１０】
0003177373.tif 000012
【図１１】
0003177373.tif 000013
【図１２】
0003177373.tif 000014
【図１３】
0003177373.tif 000015
【図１４】
0003177373.tif 000016
【図１５】
0003177373.tif 000017
【図１６】
0003177373.tif 000018
【図１７】
0003177373.tif 000019
【図１８】
0003177373.tif 000020
【図１９】
0003177373.tif 000021
【図２０】
0003177373.tif 000022
【図２１】
0003177373.tif 000023